(57)【要約】【課題】伸縮運動、曲げ運動、捩り運動を大きな拘束力で拘束することができる運動拘束具、及びこれを用いた擬似体験装置を提供することを目的とする。【解決手段】隣接する小片１１に対して、その厚さ方向と直交する方向に位置ずれ可能なように連結した複数の小片１１からなる小片連結体１２と、該小片連結体１２を内部空間に収納し、外力により変形自在な中空状の袋体１３と、該袋体１３の内部空間を収縮することにより、小片１１の外面同士及び小片連結体１２の外面と袋体１３の内面とを密着させて、外力に対する抗力を発生させる密着手段と、を具備し、運動を可変的に拘束する運動拘束具１０。【選択図】図１
2006094983.tif 000002
【特許請求の範囲】
【請求項１】
運動を可変的に拘束する運動拘束具であって、
隣接する小片に対して、その厚さ方向と直交する方向に位置ずれ可能なように連結した複数の小片からなる小片連結体と、
該小片連結体を内部空間に収納し、外力により変形自在な中空状の袋体と、
該袋体の内部空間を収縮することにより、前記小片の外面同士及び前記小片連結体の外面と前記袋体の内面とを密着させて、前記外力に対する抗力を発生させる密着手段と、
を具備することを特徴とする運動拘束具。
【請求項２】
前記小片は厚さ方向に貫通する貫通孔を備え、前記小片連結体は厚さ方向に連接する小片が交互に位置をずらしてこれら小片の貫通孔を挿通する糸状物によって連結されていることを特徴とする請求項１に記載の運動拘束具。
【請求項３】
前記小片は可撓性を有するものであることを特徴とする請求項１又は２に記載の運動拘束具。
【請求項４】
前記密着手段は、前記袋体の内部空間を負圧とすることにより、当該袋体の内部空間を収縮することを特徴とする請求項１から３の何れか１項に記載の運動拘束具。
【請求項５】
人体に作用する外力を仮想現実的に体験させる擬似体験装置であって、
請求項１から４の何れか１項に記載の運動拘束具と、関節の角度、運動速度、又は抗力の少なくとも何れか１つを検出して検知信号を発信するセンサとを備えてなる関節装着具と、
前記検知信号を受けて、前記運動拘束具に生ずる抗力を制御する制御手段と、
を具備することを特徴とする擬似体験装置。
【発明の詳細な説明】
【技術分野】
【０００１】
本発明は、運動拘束具、詳しくは運動を可変的に拘束する運動拘束具、及びこれを用いた擬似体験装置に関するものである。
【背景技術】
【０００２】
福祉やスポーツにおいて人間の運動能力を機械的に支援する目的で盛んな研究がなされており、実際に、高齢者や身障者等、身体機能に障害を有する者の筋肉を補助するサポータや、重力や空気抵抗等の人体に作用する力を擬似的に表現して、仮想現実的にスポーツトレーニングを行なうための擬似体験装置が存在する。これらには人体の関節等の運動を拘束するための運動拘束具が多く用いられている。例えば、特許文献１には、運動を可変的に拘束する運動拘束具が開示されている。
【０００３】
特許文献１に開示された伸縮運動を可変的に拘束する運動拘束具１００は、図１６及び図１７に示すように、外力が作用する作用端部１０１間に対向して架設された伸縮自在な伸縮部１０２と伸縮しない非伸縮部１０３とからなる２枚の伸縮拘束部材１０４と、該伸縮拘束部材１０４を内包し、作用端部１０１とともに容器として内部空間を形成する側周壁が伸縮自在な筒体１０５と、該筒体１０５の内部空間と連通された図示しないポンプとを備えたものである。
【０００４】
この運動拘束具１００が伸縮運動を拘束しない場合には、図１７（ａ）に示すように、筒体１０５の内部空間が一定容積に維持され、対向する伸縮拘束部材１０４は離間した状態であり、運動拘束具１００は、伸縮拘束部材１０４の伸縮部１０２の弾性により、外力が作用すれば矢印方向へ伸縮自在である。一方、伸縮運動を拘束する場合には、任意の伸縮状態において、筒体１０５の内部空間内にある気体をポンプにより排出し、筒体１０５の内圧を負圧として、図１７（ｂ）に示すように、２枚の伸縮拘束部材１０４を密着させる。これにより、２枚の伸縮拘束部材１０４の非伸縮部１０３の密着面に摩擦が生じ、摩擦力が伸縮運動を引き起こす外力に対する抗力となって、伸縮運動を拘束する。筒体１０５の内圧を制御することにより、密着面に生じる摩擦力を制御し、伸縮運動の拘束力を任意に変動させることができる。
【０００５】
また、特許文献１に開示された曲げ運動を可変的に拘束する運動拘束具２００は、図１８に示すように、外力により曲げ変形し非伸縮な薄膜状の曲げ拘束部材２０１ａを積層した曲げ拘束部材２０１が、容器である包袋２０２内に複数列設され、包袋２０２の内部空間と連通された図示しないポンプを備えたものである。
【０００６】
この運動拘束具２００が曲げ運動を拘束しない場合には、包袋２０２の内部空間が適量の気体で満たされて外部の大気圧と均衡し、各曲げ拘束部材２０１ａは、他の曲げ拘束部材２０１ａの接触面に曲げ運動を拘束されず、外力に応じて曲げ変形する。一方、曲げ運動を拘束する場合には、包袋２０２の内部空間から気体をポンプにより排出し、包袋２０２の内圧を負圧として、各曲げ拘束部材２０１ａを密着させる。これにより、各曲げ拘束部材２０１ａの密着面に摩擦力が生じ、摩擦力が曲げ運動を引き起こす外力に対する抗力となって、曲げ運動を拘束する。
【０００７】
また、特許文献１に開示された伸縮運動、曲げ運動、捻り運動のすべてを拘束する運動拘束具３００は、図１９に示すように、多数の粒状体３０１と、内部空間に該粒状体３０１が装填された中空柱体状の容器３０２と、図示しないポンプとを備えたものである。容器３０２は、側周壁が軟質かつ非伸縮性で内部空間に流出入する空気を透過させない素材からなり、その両端が容易に変形しないプラスチック等からなるものである。
【０００８】
この運動拘束具３００が運動を拘束しない場合は、図２０（ａ）に示すように、容器３０２の内部空間が適量の気体で満たされて、容器３０２の内圧と外部の大気圧とが均衡した状態にあり、運動拘束具３００は、容器３０２の両端に作用する外力に応じて矢印に示すように伸縮、曲げ、捻り運動をする。一方、運動を拘束する場合は、任意の状態において、図２０（ｂ）及び図２０（ｃ）に示すように、容器３０２の内部空間内にある気体をポンプにより排出し、容器３０２内の内圧を負圧として、容器３０２の側周壁及び粒状体３０１を、任意の状態の運動拘束部材３０２の形状で密着させる。これにより、粒状体３０１同士、及び容器３０２の側周壁と粒状体との密着面に摩擦力が生じ、該摩擦力が運動を引き起こす外力に対する抗力となって、運動を拘束する。なお、容器３０２の内圧を制御することにより、すなわち、ポンプを制御することによって、前記摩擦力を任意に変化させることができ、該摩擦力の変化に応じて拘束力も変化するので、ポンプにより拘束力を制御することができる。
【特許文献１】特開２００２−１８６６８３号公報
【発明の開示】
【発明が解決しようとする課題】
【０００９】
しかし、上記従来の運動拘束具１００においては、伸縮運動しか拘束できず、曲げ運動や捩り運動を拘束することができないという問題があった。また、上記従来の運動拘束具２００においては、曲げ運動しか拘束できず、伸縮運動や捩り運動を拘束することができないという問題があった。また、上記従来の運動拘束具３００においては、伸縮運動、曲げ運動、捩り運動を拘束することができるが、粒状体３０１同士、及び容器３０２の側周壁と粒状体３０１との密着面に生じる摩擦力によって外力に対する抗力を発生させているので、運動拘束具１００，２００に比べて密着面の面積が小さく、拘束力が小さいという問題があった。
【００１０】
本発明は、かかる問題を解決すべくなされたものであり、伸縮運動、曲げ運動、捩り運動を大きな拘束力で拘束することができる運動拘束具、及びこれを用いた擬似体験装置を提供することを目的とする。
【課題を解決するための手段】
【００１１】
上記目的を達成するために、請求項１に記載の運動拘束具は、運動を可変的に拘束する運動拘束具であって、隣接する小片に対して、その厚さ方向と直交する方向に位置ずれ可能なように連結した複数の小片からなる小片連結体と、該小片連結体を内部空間に収納し、外力により変形自在な中空状の袋体と、該袋体の内部空間を収縮することにより、前記小片の外面同士及び前記小片連結体の外面と前記袋体の内面とを密着させて、前記外力に対する抗力を発生させる密着手段と、を具備することを特徴としている。
【００１２】
請求項２に記載の運動拘束具は、請求項１に記載の運動拘束具において、前記小片は厚さ方向に貫通する貫通孔を備え、前記小片連結体は厚さ方向に連接する小片が交互に位置をずらしてこれら小片の貫通孔を挿通する糸状物によって連結されていることを特徴としている。
【００１３】
請求項３に記載の運動拘束具は、請求項１又は２に記載の運動拘束具において、前記小片は可撓性を有するものであることを特徴としている。
【００１４】
請求項４に記載の運動拘束具は、請求項１から３の何れか１項に記載の運動拘束具において、前記密着手段は、前記袋体の内部空間を負圧とすることにより、当該袋体の内部空間を収縮することを特徴としている。
【００１５】
請求項５に記載の擬似体験装置は、人体に作用する外力を仮想現実的に体験させる擬似体験装置であって、請求項１から４の何れか１項に記載の運動拘束具と、関節の角度、運動速度、又は抗力の少なくとも何れか１つを検出して検知信号を発信するセンサとを備えてなる関節装着具と、前記検知信号を受けて、前記運動拘束具に生ずる抗力を制御する制御手段と、を具備することを特徴としている。
【発明の効果】
【００１６】
請求項１に記載の運動拘束具によれば、連結された複数の小片はそれぞれ隣接する小片に対して、その厚さ方向と直交する方向に位置ずれ可能であるので、小片連結体は外力によって形状が可変となるため、袋体の内部空間に収納された小片連結体が任意形状をなす状態において、密着手段により袋体の内部空間を収縮させることより、外力に対する抗力を発生することができ、伸縮運動、曲げ運動、捩り運動を拘束することができる。また、密着手段により袋体の内部空間を収縮することによって、小片の外面同士及び小片連結体の外面と袋体の内面とが密着し、密着面に生じる摩擦力が外力に対する抗力を発生させるので、上記従来の運動拘束具３００に比べて大きな拘束力を得ることができる。また、小片連結体の外面の形状が可変となるため、対象物の表面に運動拘束具を密接させることができる。
【００１７】
請求項２に記載の運動拘束具によれば、小片は、その貫通孔と糸状体との間に隙間が存在することによって、隣接する小片に対して、その厚さ方向と直交する方向に位置ずれ可能になるので、外力によって小片連結体の形状が可変となり、対象物の表面の曲面に対して密接させることができる運動拘束具を簡易な構成にて得ることができる。また、厚さ方向に連接する小片が交互に位置をずらして連結されているため、小片連結体の外面を広面積とすることが可能となり、対象物の表面を広範囲に渡って運動拘束具を密接させることができる。また、袋体の内面と密着する小片連結体の外面を広面積とすることが可能となり、大きな拘束力を得ることができる。
【００１８】
請求項３に記載の運動拘束具によれば、小片が可撓性を有するため、密着手段により袋体の内部空間を収縮することによって、外力に対して撓み変形した小片の外面が、隣接する小片の可動を妨げて外力に対する抗力を発生させるので、より大きな拘束力を得ることができる。さらに撓みによって小片の外面同士が密着すれば、その密着面に生じる摩擦力が外力に対する抗力を発生させるので、より大きな拘束力を得ることができる。
【００１９】
請求項４に記載の運動拘束具によれば、密着手段は袋体の内部空間を負圧とすることにより、袋体の内部空間を収縮することができるので、袋体の内部空間に存する気体を排出するポンプ等を用いることによって密着手段を容易に得ることができる。
【００２０】
請求項５に記載の擬似体験装置によれば、前記何れかの運動拘束具を関節装着具が備えているので、形状が可変な運動拘束具を関節に密接させることができるため、人体との親和性が高く、また、伸縮運動、曲げ運動、捩り運動を拘束可能な運動拘束具によって運動を拘束するため、現実度の高い擬似体験装置を得ることができる。
【発明を実施するための最良の形態】
【００２１】
本発明の第１の実施の形態に係る運動拘束具１０について図面に基づき説明する。この運動拘束具１０は、図１（ａ）に示すように、隣接する小片１１に対して可動可能に連結した複数の小片１１からなる小片連結体１２と、該小片連結体１２を内部空間に収納する中空状の袋体１３と、該袋体１３の内部空間を収縮する図示しないポンプと、からなるものである。
【００２２】
各小片１１は、合成樹脂等からなる薄厚の長円形の板状部材であり、その厚さ方向に貫通する貫通孔１１ａを備えている。該貫通孔１１ａは、小片１１のなす長円形の一方の半円の中心近傍に位置しており、小片１１の長手方向をその長手方向とする長円形である。各小片１１は、図１（ｂ）に示すように、貫通孔１１ａを挿通する１本の糸状物１４によって厚さ方向に隣接する小片１１と連結されている。糸状物１４は、繭・綿・麻・毛などの繊維を細く長く引き伸ばし縒りをかけた糸や、合成樹脂等からなる非収縮性の糸状のもの、或いはゴム等からなる糸状の弾性体である。各小片１１は、隣接する小片１１に対して長手方向に所定距離、すなわち貫通孔１１ａの長手方向長さから糸状物１４の直径との差からなる距離だけ移動可能であるとともに、幅方向に所定距離、すなわち貫通孔１１ａの幅から糸状物１４の直径との差の２倍の距離だけ移動可能である。小片１１は、これらの移動の組合わせ、すなわち隣接する小片１１に対してその厚さ方向に直交する面内における平行移動が貫通孔１１ａと糸状物１４との隙間からなる所定範囲内において可能である。また、小片１１は、隣接する小片１１に対してその厚さ方向に直交する面内における回動が可能である。従って、小片１１は、隣接する小片１１に対してその厚さ方向と直交する方向に位置ずれが可能である。小片連結体１２は、厚さ方向に連接する小片１１が交互に位置をずらして、これら小片１１の貫通孔１１ａを挿通する１本の糸状物１４によって連結されている。具体的には、小片連結体１２は、厚さ方向に連接する小片１１が交互に並置するように、すなわち、厚さ方向に隣接する小片１１が互い違いに位置するように１本の糸状物１４によって連結されている。これにより、厚さ方向に連接する小片１１が１つおきに、それらの貫通孔１１ａに対する最離間部が反対方向に位置している。
【００２３】
小片連結体１２は全体として、図２（ａ）から図２（ｃ）に示すように、その長手方向に伸縮変形が可能であるとともに、図３（ａ）及び図３（ｂ）に示すように、小片１１の面方向の曲げ変形が可能であり、図４（ａ）及び図４（ｂ）に示すように、小片１１の厚さ方向の曲げ変形が可能である。また、小片連結体１２は、これらの変形を組み合わせた変形が可能である。これらの変形は、小片連結体１２に外力を加えることにより、その外力に応じてなされる。
【００２４】
前記袋体１３は、軟質で内部空間に流出入する作動流体を透過させない素材からなり、外力により変形自在な中空状のものであり、その端部近傍には、図１（ａ）に示すように、内部空間に作動流体を流通させるための流通口１５が設けられている。袋体１３が小片連結体１２を囲繞することにより、袋体１３の内部空間に小片連結体１２を収納するとともに、小片連結体１２の形状を一定の範囲内で維持している。すなわち、小片連結体１２は、袋体１３によって厚さ方向に連接する小片１１が交互に並置するように維持されている。前記ポンプは、袋体１３の内部空間に流通させる作動流体を流通口１５から流出入させるものである。なお、作動流体は、空気や水のように流動性を有するものであれば、特に限定されるものではない。
【００２５】
本運動拘束具１０が運動を拘束しない場合には、袋体１３の内部空間が適量の作動流体で満たされて、袋体１３の内部空間と外部の大気圧とが均衡した状態である。この状態においては、一定容積の内部空間が維持されて、小片連結体１２は外力により自在に変形可能な状態である。例えば、静止した対象物の表面に運動拘束具１０を押し当てた場合には、当該表面に追従して小片連結体１２が変形するとともに、当該小片連結体１２を収容する袋体１３も自在に変形するので、対象物の表面に運動拘束具１０を密接させることができる。
【００２６】
本運動拘束具１０が運動を拘束する場合には、小片連結体１２が任意の形状である状態において、前記ポンプにより袋体１３の内部空間にある作動流体が流出されて、袋体１３の内部圧が負圧となった状態である。この状態においては、内部空間の容積が収縮されて、小片連結体１２の隣接する小片１１同士及び小片連結体１２の外面（小片連結体１２の外面となる小片１１の外面の集合体）と袋体１３の内面とがそれぞれ密着し、これらの密着面に摩擦力が生じ小片連結体１２の形状が固定され、摩擦力が運動を引き起こす外力に対する抗力となって、運動を拘束する。なお、各小片１１の周面、特に上面及び下面に鋸刃状などの凹凸形状を形成すれば、小片連結体１２の外面と袋体１３の内面との摩擦力が大きくなり、拘束力が増すので好ましい。また、各小片１１を合成樹脂やゴム等の可撓性を有するものとすれば、図１（ｃ）に示すように、外力に対して小片１１が撓み変形する。ポンプにより袋体１０３の内部空間を収縮することによって、外力に対して撓み変形した小片１１の外面が、隣接する小片１１の可動を妨げて外力に対する抗力を発生させ、拘束力が増すので好ましい。さらに、間に位置する小片１１を挟んで対向して位置する小片１１の外面同士も密着させれば、その密着面に生じる摩擦力が外力に対する抗力を発生させ、さらに拘束力が増す。
【００２７】
前記摩擦力は、それぞれ密着面に作用する法線方向の力（以下、法線力という。）に、密着面の摩擦係数を乗じたものであるから、法線力を制御することにより、該密着面に生じる摩擦力を制御することができる。すなわち、袋体１３の内部圧を制御することにより、運動の拘束力を任意に変動させることができる。さらに、本運動拘束具１０が運動を拘束した状態において、前記ポンプにより袋体１３の内部空間に作動流体を流入させることより、運動の拘束を解放することができる。
【００２８】
本発明の第２の実施の形態に係る運動拘束具２０について図面に基づき説明する。この運動拘束具２０は、図５（ａ）に示すように、前記運動拘束具１０における小片連結体１２を、厚さ方向に連接し位置をずらして、具体的には交互に並置するように糸状物２４によって連結された小片２１をこれら小片２１の長手方向に複数連結し小片連結体２２としたものである。これにより、小片連結体２２の外面が広面積となり、対象物の表面を広範囲に渡って運動拘束具２０を密接させ運動を拘束することができる。
【００２９】
本運動拘束具２０における小片２１は、当該小片２１の長手方向に離間した貫通孔２１ａ、具体的には、小片２１のなす長円形の２つの半円の中心近傍に位置する貫通孔２１ａを２つ備えており、貫通孔２１ａは小片２１の長手方向をその長手方向とする長円形である。小片連結体２２は、図５（ｂ）に示すように、厚さ方向に連接する小片２１が交互に並置するように、すなわち厚さ方向に隣接する小片２１が互い違いに位置するように、貫通孔２１ａを挿通する複数の糸状物２４によって連結されている。
【００３０】
小片連結体２２は全体として、図６（ａ）から図６（ｃ）に示すように、その長手方向に伸縮変形が可能であるとともに、図７（ａ）及び図７（ｂ）に示すように、小片２１の面方向の曲げ変形が可能であり、図８（ａ）及び図８（ｃ）に示すように、小片２１の厚さ方向の曲げ変形が可能である。また、小片連結体２２は全体として、これらの変形を組み合わせた変形が可能である。これらの変形は、小片連結体２２に外力を加えることにより、その外力に応じてなされる。
【００３１】
本運動拘束具２０が運動を拘束しない場合には、袋体２３の内部空間と外部の大気圧とが均衡した状態であり、この状態においては、一定容積の内部空間が維持されて、小片連結体２２は外力により自在に変形可能な状態である。
【００３２】
一方、本運動拘束具２０が運動を拘束する場合には、小片連結体２２が任意の形状である状態において、袋体２３の内部圧が負圧となった状態であり、この状態においては、内部空間の容積が収縮されて、小片連結体２２の隣接する小片２１の外面同士、及び小片連結体２２の外面と袋体２３の内面とが密着し、これらの密着面に摩擦力が生じ、該摩擦力が運動を引き起こす外力に対する抗力となって、運動を拘束する。
【００３３】
本運動拘束具２０は、前記運動拘束具１０に比べて、小片連結体２２がより多様な形状をとることができるとともに、より大きな可動範囲を有するので、運動をより適切に拘束することができる。また、運動拘束具２０は、前記運動拘束具１０に比べて、より多様な対象物の表面に対して適切に密接させることができる。
【００３４】
本発明の第２の実施の形態の変形に係る運動拘束具３０について図面に基づき説明する。この運動拘束具３０は、図９（ａ）及び図９（ｂ）に示すように、前記小片２１に対して長手方向に形状を延長するともに２つの貫通孔３１ａ間の距離を延長させた小片３１と、前記小片２１とからなる小片連結体３２からなるものである。この小片連結体３２は、厚さ方向に小片２１と小片３１とが互いに隣接しており、小片２１及び小片３１がそれぞれ厚さ方向に同じ形状の小片２１，３１が位置するように配置されている。この小片連結体３２は、前記小片連結体２２に対して、より少ない枚数の小片によって外面が同じ面積の小片連結体３２を構成することができるが、曲げ変形の曲率が小さくなる。また、各小片３１が可撓性を有するものとすれば、図１０に示すように、外力に対して小片３１が撓み変形する。ポンプにより袋体１０３の内部空間を収縮することによって、外力に対して撓み変形した小片３１の外面が、隣接する小片３１の可動を妨げて外力に対する抗力を発生させ、拘束力が増す。なお、各小片３１が可撓性を有することにより強度が劣るが、この欠点は、小片３１の一部、例えば、小片連結体３２の厚さ方向における中心付近に位置する小片３１（図１０において斜線を付した小片３１）を硬い素材からなるものとすることにより補うことができる。
【００３５】
また、運動拘束具２０，３０における小片連結体２２，３２は平面状であるが、例えば、小片連結体２２，３２を環状とすることにより、例えば、手首や肘等の関節の運動を拘束することができ、また、腕や脚等のサポータやギブスとして適したものとなる。特に、環状とした運動拘束具をギブスとして用いることにより、腕や脚等の対象となる表面に対して迅速に密接させることができ、筋肉の衰えによる形状の変化にも容易に対処することができ、取外しも容易であるという、従来のギブスに比べて大きな利点がある。また、３以上の貫通孔を設けた小片や、様々な形状からなる小片から構成することにより、分岐を有したり、様々な立体形状を備えた小片連結体とすることができ、運動を拘束する対象物に適切に合わせることが可能である。
【００３６】
本発明の第３の実施の形態に係る運動拘束具４０について図面に基づき説明する。この運動拘束具４０は、前記運動拘束具１０において、図１１（ａ）及び図１１（ｂ）に示すように、前記小片連結体１２を、３つの小片１１が隣接する小片１１に対して可動可能に連結した小片連結体４２としたものである。小片連結体４２は、厚さ方向に隣接する３つの小片１１が交互に位置をずらして１本の糸状物４４によって連結して形成されている。具体的には、小片連結体４２は、３つの小片１１が交互に並置するように、すなわちこれら小片１１が互い違いに位置するように形成されている。小片連結体４２を構成する各小片１１は、隣接する小片１１に対してその厚さ方向と直交する方向に位置ずれが可能である。そして、小片連結体４２は全体として、図１２（ａ）から図１２（ｃ）に示すように、その長手方向に伸縮変形が可能であり、図１３（ａ）及び図１３（ｂ）に示すように、小片１１の厚さ方向に直交する面内における回動が可能であり、小片連結体４２は全体として、これらの変形を組み合わせた変形が可能である。これらの変形は、小片連結体４２に外力を加えることにより、その外力に応じて変形がなされる。
【００３７】
本運動拘束具４０は、前記運動拘束具１０と同様に、袋体４３の内部空間と外部の大気圧とが均衡した状態においては、小片連結体４２は外力により自在に運動可能な状態である。一方、袋体４３の内部圧が負圧となった状態においては、内部空間の容積が収縮されて、小片連結体４２を構成する各小片１１同士、及び小片連結体４２の外面と袋体４３の内面とが密着し、これらの密着面に摩擦力が生じ、該摩擦力が運動を引き起こす外力に対する抗力となって、運動を拘束する。
【００３８】
本運動拘束具４０は、前記運動拘束具１０に比べて、変形の自由度が少ないが、少ない構成部品により簡易に伸縮運動及び曲げ運動を拘束することができるため、例えば、ロボット等の関節を拘束するブレーキに適して用いることができる。
【００３９】
なお、前記各小片１１，２１，３１に設けた貫通孔１１ａ，２１ａ，３１ａを小片１１，２１，３１の長手方向に長い長円形であるものとしたが、これに限定されるものではない。例えば、この貫通孔１１ａ，２１ａ，３１ａを前記貫通孔１１ａ，２１ａ，３１ａの長軸に等しい直径を有する円形であるものとしてもよい。これにより、小片は、隣接する小片に対して小片の幅方向により多くの移動範囲を得ることができる。そのため、図４や図８に示した、小片の厚さ方向の曲げ変形の曲率をより大きくすることができ、より多くの曲面に対して適切に密接させることができる。ただし、各小片の外周面と袋体の内面との各密着面間の距離が大きくなるので、運動を拘束する拘束力が低下することを考慮する必要がある。
【００４０】
また、前記各小片１１，２１，３１を長円形状としたが、これに限定されるものではない。ただし、各小片１１，２１，３１を長円形状とすることにより、小片連結体１２，２２，３２，４２がいかなる形状に変形した場合であっても、これらの外面に鋭角な形状が現われることがないので、袋体１３，２３，４３の内面に密着しても破損しにくい利点を有する。
【００４１】
また、前記ポンプにより袋体１３，２３，４３の内部空間を収縮するものとしたが、これに限定されるものではない。例えば、外部から袋体１３，２３，４３全体に加圧することにより、内部空間を収縮させるものであってもよい。また、対向する小片１１，２１，３１の隙間に薄い袋状体を配置し、運動を拘束させる場合には、この袋状体の内部空間に作動流体を流入させ、その内部空間を膨張させて小片１１，２１，３１を圧迫させることにより、小片１１，２１，３１同士の外面及び袋状体の外面と小片１１，２１，３１の外面とを密着させ、これらの密着面に生じた摩擦力を運動を引き起こす外力に対する抗力とし、運動を拘束するものであってもよい。
【００４２】
次に、本発明の実施の形態に係る擬似体験装置を、図面に基づいて具体的に説明する。本擬似体験装置５０は、図１４及び図１５に示すように、前記実施の形態で示した各運動拘束具１０，２０，３０，４０のいずれか又はその組合わせによる運動拘束具５１と、関節の角度、運動速度、及び抗力を検知して検知信号を発信するセンサ５２とを備えた変形自在な関節装着具５３と、前記検知信号を受けて拘束力を制御する制御システム５４と、前記袋体１３，２３，４３の内部空間を収縮することによりに拘束力を与えるための駆動システム５５とを具備するものである。
【００４３】
関節装着具５３は、装着すべき関節に応じたサポータ状のものであり、各関節装着具５３に設けられた運動拘束手段５１は、手首、肘等の拘束すべき関節の運動を考慮して選定されている。
【００４４】
また、本擬似体験装置５０は、肘、膝等の複数の関節を拘束するので、前記各運動拘束手段を密着させるために統一した駆動システム５５を備えている。該駆動システム５５は、前記ポンプの他に、圧縮空気タンクもしくはプロセスガス源、バルブ等を備えてなり、制御システム５４からの命令に従って、空気などの気体を配管５６を通じて前記袋体に流出入させるものである。
【００４５】
各関節装着具５３に設けられた各センサ５２は、関節の角度、運動速度、又は抗力を各々検知して検知信号を発信する周知かつ任意のセンサの組み合わせであり、各検知信号は信号線５７を通じて制御システム５４に入力される。
【００４６】
このように構成された擬似体験装置５０によれば、肘、膝等に装着された各関節装着具５３の各センサ５２により、関節の運動状態を検知して、検知信号を制御システム５４に出力し、制御システム５４は、各検知信号に基づいて所望の拘束力が発生するように駆動システム５５を動作させる。例えば、運動拘束具５１による抗力は摩擦力に基づくものだから、運動速度には比例しないので、速度センサ及び力センサの出力信号に基づいて、速度に比例して拘束力を増加させて、粘性を体感させるように駆動システム５５を動作させる。これにより、各関節装着具５３の運動拘束具５１が装着者の各関節を拘束して、装着者に仮想空間での力を擬似体験させることができる。
【００４７】
また、センサ５２として運動拘束具５１の内部空間の内圧を検知して検知信号する圧力センサを用いることも望ましい。該検知信号に基づいて所望の内圧となるように、制御システム５４は駆動システム５５を動作させる。これにより、各関節装着具５３の運動拘束具５１の拘束力を制御することができる。
【００４８】
本擬似体験装置５０は、極めて広範囲に利用されるものであり、例えば、地上において水の流体抵抗を拘束力により実現して、様々な環境での水泳体感をさせるようなスポーツトレーニングへの利用や、視覚表示装置と連携させてバーチャルリアリティ・ゲームへの利用ができる。さらに、センサ５２が一定の閾値以上の外力又は速度を検知した場合に、関節装着具５３により関節運動を完全に拘束するような制御を行なえば、スポーツ競技者、自動二輪運転者用等のプロテクタとして利用することもできる。
【００４９】
なお、本発明に係る擬似体験装置は、前記擬似体験装置５０のように、人体の各関節に関節装着具５３を装着させるものに限定されず、様々な形態を採用することができる。例えば、特定の関節の運動のみを拘束するような構成としてもよく、その場合には、駆動システム及び制御システムをさらに小型化して、関節装着具と一体化してもよい。
【００５０】
また、伸縮運動を拘束する運動拘束具５１を、センサ５２、制御システム５４、及び駆動システム５５が内蔵された擬似体験装置に複数設けて、人体の数箇所と連結することにより運動を拘束するような対向型のものを実現することもできる。又、前記擬似体験装置５０に送受信システムを設けて、制御システム５５に外部から指令を与えて運動の拘束を変化させることもできる。
【図面の簡単な説明】
【００５１】
【図１】本発明の第１の実施の形態に係る運動拘束具１０を示し、（ａ）は運動拘束具１０の概略斜視図であり、（ｂ）は運動拘束具１０を構成する小片連結片１２の上面図であり、（ｃ）は可撓性を有する小片１１からなる小片連結片１２が外力により変形した状態を示す上面図である。
【図２】小片連結片１２の概略斜視図であり、（ａ）は収縮した形状、（ｂ）は基準の形状、（ｃ）は伸長した形状を示す。
【図３】小片連結片１２の概略斜視図であり、（ａ）は基準の形状、（ｂ）は小片１１の面方向に曲げ変形した形状を示す。
【図４】小片連結片１２の側面図であり、（ａ）は基準の形状、（ｂ）は小片１１の厚さ方向に曲げ変形した形状を示す。
【図５】本発明の第２の実施の形態に係る運動拘束具２０を示し、（ａ）は運動拘束具２０の概略斜視図であり、（ｂ）は運動拘束具２０を構成する小片連結片２２の上面図である。
【図６】小片連結片２２の概略斜視図であり、（ａ）は収縮した形状、（ｂ）は基準の形状、（ｃ）は伸長した形状を示す。
【図７】小片連結片２２の概略斜視図であり、（ａ）は基準の形状、（ｂ）は小片２１の面方向に曲げ変形した形状を示す。
【図８】小片連結片２２の側面図であり、（ａ）は基準の形状、（ｂ）は小片２１の厚さ方向に曲げ変形した形状を示す。
【図９】本発明の第２の実施の形態の変形に係る運動拘束具３０を示し、（ａ）は運動拘束具３０の概略斜視図であり、（ｂ）は運動拘束具３０を構成する小片連結片３２の上面図である。
【図１０】可撓性を有する小片３１からなる小片連結片３２が外力により変形した状態を示す上面図である。
【図１１】本発明の第３の実施の形態に係る運動拘束具４０を示し、（ａ）は運動拘束具４０の概略斜視図であり、（ｂ）は運動拘束具４０を構成する小片連結片４２の上面図である。
【図１２】小片連結片４２の概略斜視図であり、（ａ）は収縮した形状、（ｂ）は基準の形状、（ｃ）は伸長した形状を示す。
【図１３】小片連結片４２の概略斜視図であり、（ａ）は基準の形状、（ｂ）は小片１１の面方向に曲げ変形した形状を示す。
【図１４】本発明の実施の形態に係る擬似体験装置５０の構成を示す模式図である。
【図１５】擬似体験装置５０の構成を示すブロック図である。
【図１６】従来の運動拘束具１００の外観を示す概略斜視図である。
【図１７】従来の運動拘束具１００のＡ―Ａ断面を示す断面図であり、（ａ）は非運動拘束状態を、（ｂ）は運動拘束状態を示す。
【図１８】従来の別の運動拘束具２００を示す概略斜視図である。
【図１９】従来のさらに別の運動拘束具３００の外観を示す一部破断概略斜視図である。
【図２０】従来の運動拘束具３００を示す断面図であり、（ａ）は非運動拘束状態を、（ｂ）及び（ｃ）は運動拘束状態を示す。
【符号の説明】
【００５２】
１０，２０，３０，４０  運動拘束具
１１，２１，３１  小片
１１ａ，２１ａ，３１ａ  貫通孔
１２，２２，３２，４２  小片連結体
１３，２３，４３  袋体
１４，２４，４４  糸状物
５０  擬似体験装置
５１  運動拘束具
５２  センサ
５３  関節装着具
５４  制御システム（制御手段）
【図１】
2006094983.tif 000003
【図２】
2006094983.tif 000004
【図３】
2006094983.tif 000005
【図４】
2006094983.tif 000006
【図５】
2006094983.tif 000007
【図６】
2006094983.tif 000008
【図７】
2006094983.tif 000009
【図８】
2006094983.tif 000010
【図９】
2006094983.tif 000011
【図１０】
2006094983.tif 000012
【図１１】
2006094983.tif 000013
【図１２】
2006094983.tif 000014
【図１３】
2006094983.tif 000015
【図１４】
2006094983.tif 000016
【図１５】
2006094983.tif 000017
【図１６】
2006094983.tif 000018
【図１７】
2006094983.tif 000019
【図１８】
2006094983.tif 000020
【図１９】
2006094983.tif 000021
【図２０】
2006094983.tif 000022